(57)【要約】【課題】より短い時間で交換及び調査をすることができる電力盤を提供することである。【解決手段】実施形態の電力盤は、無線通信部と、制御機器とを持つ。無線通信部は、無線通信によって通信可能な他の電力盤によって生成され、自装置に設けられた電気機器を制御する第１制御信号を無線通信によって受信する。制御機器は、第１制御信号に基づいて電気機器を制御する。制御機器は、他の電力盤に設けられた電気機器を制御する第２制御信号を生成する。無線通信部は、他の電力盤に無線通信によって第２制御信号を送信する。【選択図】図１
2020150500.tif 000002
【特許請求の範囲】
【請求項１】
無線通信によって通信可能な他の電力盤によって生成され、自装置に設けられた電気機器を制御する第１制御信号を無線通信によって受信する無線通信部と、
前記第１制御信号に基づいて前記電気機器を制御する制御機器と、を備え、
前記制御機器は、前記他の電力盤に設けられた電気機器を制御する第２制御信号を生成し、
前記無線通信部は、前記他の電力盤に無線通信によって前記第２制御信号を送信する、
電力盤。
【請求項２】
前記無線通信部は、可視光を放出することで前記第２制御信号を送信し、前記他の電力盤に接続された可視光通信機から放出された可視光を受信することで前記第１制御信号を受信する、
請求項１に記載の電力盤。
【請求項３】
無線通信部は、前記他の電力盤と通信可能に接続された照明から放出された可視光を受信することによって前記第１制御信号を受信する、
請求項２に記載の電力盤。
【請求項４】
前記制御機器は、前記第１制御信号のうち前記自装置に設けられた遮断器を停止するトリップ信号を前記他の電力盤から有線通信で受信し、前記トリップ信号に応じて前記遮断器を停止する、
請求項１から３のいずれか一項に記載の電力盤。
【請求項５】
前記無線通信部によって放出された可視光を反射する反射板をさらに備える、
請求項１から４のいずれか一項に記載の電力盤。
【発明の詳細な説明】
【技術分野】
【０００１】
本発明の実施形態は、電力盤に関する。
【背景技術】
【０００２】
スイッチギヤ等の電力盤の多くは、他の電力盤との制御信号の送受信を有線通信によって行っている。古い電力盤を新しい電力盤に交換する際、設計者は現地調査を行うことで、電線の長さや電線の本数等の有線通信に必要な情報を収集する。次に、作業員は、電力盤の交換作業の際に、収集した情報に基づいて現地で電線の配線作業を行う。このため、有線通信が行われる通信範囲の広さによっては、現地調査の調査時間や、電力盤の交換作業には長い時間を要する場合があった。
【先行技術文献】
【特許文献】
【０００３】
【特許文献１】特開２００４−２３６０５６号公報
【発明の概要】
【発明が解決しようとする課題】
【０００４】
本発明が解決しようとする課題は、より短い時間で交換及び調査をすることができる電力盤を提供することである。
【課題を解決するための手段】
【０００５】
実施形態の電力盤は、無線通信部と、制御機器とを持つ。無線通信部は、無線通信によって通信可能な他の電力盤によって生成され、自装置に設けられた電気機器を制御する第１制御信号を無線通信によって受信する。制御機器は、前記第１制御信号に基づいて前記電気機器を制御する。前記制御機器は、前記他の電力盤に設けられた電気機器を制御する第２制御信号を生成する。前記無線通信部は、前記他の電力盤に無線通信によって前記第２制御信号を送信する。
【図面の簡単な説明】
【０００６】
【図１】第１の実施形態の可視光通信を用いた電気設備１の一具体例を示す図。
【図２】実施形態の可視光電力盤２００が可視光を送信する場合の処理の流れを示すシーケンスチャート。
【図３】実施形態の可視光電力盤２００が可視光を受信する場合の処理の流れを示すシーケンスチャート。
【図４】第２の実施形態の可視光通信を用いた電気設備１ａの一具体例を示す図。
【図５】第３の実施形態の可視光通信を用いた電気設備１ｂの一具体例を示す図。
【発明を実施するための形態】
【０００７】
以下、実施形態の電力盤を、図面を参照して説明する。
【０００８】
（第１の実施形態）
図１は、第１の実施形態の可視光通信を用いた電気設備１の一具体例を示す図である。第１の実施形態における電気設備１は、可視光通信が可能な可視光電力盤２００を1台備える。第１の実施形態における電気設備１は、可視光通信ができない電力盤１００を２台備える。以下、いずれの電力盤であるかを区別しないときは、単に電力盤と称して説明する。各電力盤は、電線３００及び電線３０１によって通信可能に接続される。電線３００及び電線３０１は、アナログ信号を送受信する。アナログ信号は各電力盤に対する制御信号である。各電力盤は、制御信号を電線３００又は電線３０１を介して取り合う。電力盤は、例えば、スイッチギヤ、分電盤、制御盤、監視盤又は端子盤等である。電力盤の内部には、遮断器、断路器、変流器又は変圧器等の主回路用品及び、リレー、端子台、ノーヒューズ等の制御用品（いずれも不図示）が収納される。制御用品は、短絡又は地絡等の電力盤の異常を検知する。制御用品は異常を検知すると異常を表す信号（例えば、トリップ信号）を主回路用品に出力する。主回路用品は、制御用品からの信号を受信することで、遮断を行う。
【０００９】
電力盤１００は、端子台１０１、制御装置１０２、変換器１０３及びリレー１０４を備える。電力盤１００は、制御装置１０２又はリレー１０４によって出力された制御信号を、電線３００又は電線３０１を介して、他の電力盤に送信する。電力盤１００は、他の電力盤から送信された制御信号を電線３００又は電線３０１を介して受信する。電力盤１００は、受信した制御信号に応じて自装置の動作を制御する。制御信号は、状態、故障又は表示等の電力盤に関する制御情報を含む。
【００１０】
端子台１０１は、制御信号を送受信するためのケーブルを接続するための端子が複数配置された台である。端子台１０１は、電線３００又は電線３０１に接続するための第１端子１１１と、電力盤１００内に設けられた制御機器（例えば、制御装置１０２又はリレー１０４）を接続するための第２端子１１２とを備える。端子台１０１は、第１端子１１１及び第２端子１１２を同じ数だけ備える。端子台１０１において、対向して設けられた第１端子１１１及び第２端子１１２は端子対として構成される。端子対として構成された第１端子１１１及び第２端子１１２は電気的に接続される。したがって、制御機器から第２端子１１２に入力された制御信号は、第１端子１１１を介して電線３００又は電線３０１に出力される。また、電線３００又は電線３０１から第１端子１１１に入力された制御信号は、第２端子１１２を介して電力盤１００内に設けられた制御機器に出力される。
【００１１】
制御装置１０２は、例えば、ＰＬＣ（Programmable Logic Controller）等の制御装置である。制御装置１０２は、遮断器、断路器、変流器又は変圧器等の電気機器と接続される。制御装置１０２は、所定のタイミングで制御情報を生成する。制御情報は、制御装置１０２が設けられた電力盤１００を制御する情報であってもよいし、電力盤の表示、状態又は故障を示す情報でもよいし、他の電力盤に対する制御を行う情報であってもよい。制御装置１０２は、例えば、制御装置１０２が設けられた電力盤１００を制御する情報として、遮断器を停止する情報が生成された場合には、電力盤１００に設けられた遮断器を停止する制御を行う。制御装置１０２は、生成された制御情報を制御信号に含めて他の電力盤に送信する。制御信号は、例えばデジタル信号である。また、制御装置１０２は、他の電力盤から送信された制御信号を受信すると、制御信号に含まれる制御情報に応じた動作を行う。例えば、制御情報として遮断器に対する停止制御を受け付けた場合、制御装置１０２は、遮断器を停止する制御を行う。所定のタイミングとは、例えば、予め定められた定期的なタイミングでもよいし、制御対象の機器に異常が生じたタイミングでも良い。所定のタイミングは、どのようなタイミングであってもよい。
【００１２】
変換器１０３は、アナログ信号とデジタル信号とを相互に変換して出力する。例えば、変換器１０３は、制御装置１０２から入力されたデジタルの制御信号をアナログの制御信号に変換する。変換器１０３は、変換されたアナログ信号を端子台１０１の第２端子１１２に出力する。また、変換器１０３は、電線３００又は電線３０１から入力されたアナログの制御信号をデジタルの制御信号に変換する。変換器１０３は、変換されたデジタル信号を制御装置１０２に出力する。電線３００又は電線３０１から第１端子１１１を介して入力されるアナログ信号は、他の電力盤によって送信された制御信号である。
【００１３】
リレー１０４は、遮断器、断路器、変流器又は変圧器等の電気機器と接続される。リレー１０４は、リレー１０４が設けられた電力盤１００から送信された制御信号に応じて、接続された電気機器を制御する。また、リレー１０４は他の電力盤から送信された制御信号に応じて、接続された電気機器を制御してもよい。リレー１０４は、接点の開閉によって電流の流れを調整して電気機器を制御する。リレー１０４は、所定のタイミングで制御信号を端子台１０１の第１端子１１１に出力する。リレー１０４によって生成される制御信号は制御情報を含む。制御信号は例えばアナログ信号である。また、リレー１０４は、他の電力盤から送信された制御信号を受信すると、制御信号に含まれる制御情報に応じた動作を行う。例えば、制御情報として遮断器に対する停止制御を受け付けた場合、リレー１０４は、遮断器を停止する制御を行う。所定のタイミングとは、例えば、定期的なタイミングでもよいし、制御対象の機器に異常が生じたタイミングでも良い。所定のタイミングは、どのようなタイミングであってもよい。
【００１４】
可視光電力盤２００は、端子台２０１、制御装置２０２、リレー２０３、電源部２０４、変換器２０５及び可視光通信機２２０を備える。可視光電力盤２００は制御装置２０２又はリレー２０３によって出力された制御信号を可視光通信機２２０を介して他の電力盤に送信する。可視光電力盤２００は、他の電力盤から送信された制御信号を可視光通信機２２０を介して受信する。可視光電力盤２００は、受信した制御信号に応じて自装置の動作を制御する。可視光電力盤２００は、電力盤の一態様である。
【００１５】
端子台２０１は、制御信号を送受信するためのケーブルを接続するための端子が複数配置された台である。端子台２０１は、可視光電力盤２００内に設けられた制御機器（例えば、制御装置２０２又はリレー２０３）を接続するための第２端子２１２と、電線３００又は電線３０１に接続するための第１端子２１１とを備える。端子台２０１は、第１端子２１１及び第２端子２１２を同じ数だけ備える。端子台２０１において、対向して設けられた第１端子２１１及び第２端子２１２は端子対として構成される。端子対として構成された第１端子２１１及び第２端子２１２は電気的に接続される。したがって、制御機器から第２端子２１２に入力された制御信号は、第１端子２１１を経由して可視光通信機２２０に出力される。
【００１６】
制御装置２０２は、例えば、ＰＬＣ等の制御用コントローラである。制御装置２０２は、遮断器、断路器、変流器又は変圧器等の電気機器と接続される。制御装置２０２は、所定のタイミングで制御情報を生成する。制御装置２０２は、生成された制御情報を制御信号に含めて他の電力盤に送信する。制御信号は、例えばデジタル信号である。また、制御装置２０２は、他の電力盤から送信された制御信号を受信すると、制御信号に含まれる制御情報に応じた動作を行う。例えば、制御情報として遮断器に対する停止制御を受け付けた場合、制御装置２０２は、遮断器を停止する制御を行う。所定のタイミングとは、例えば、予め定められた定期的なタイミングでもよいし、制御対象の機器に異常が生じたタイミングでも良い。所定のタイミングは、どのようなタイミングでもよい。
【００１７】
リレー２０３は、遮断器、断路器、変流器又は変圧器等の電気機器と接続される。リレー２０３は他の電力盤から送信された制御信号に応じて、接続された電気機器を制御する。リレー２０３は、接点の開閉によって電流の流れを調整して電気機器を制御する。リレー２０３は、所定のタイミングで制御信号を端子台２０１の第１端子２１１に出力する。リレー２０３によって生成される制御信号は制御情報を含む。制御信号は例えばアナログ信号である。また、リレー２０３は、他の電力盤から送信された制御信号を受信すると、制御信号に含まれる制御情報に応じた動作を行う。例えば、制御情報として遮断器に対する停止制御を受け付けた場合、リレー２０３は、遮断器を停止する制御を行う。所定のタイミングとは、例えば、定期的なタイミングでもよいし、制御対象の機器に異常が生じたタイミングでも良い。所定のタイミングは、どのようなタイミングであってもよい。
【００１８】
電源部２０４は、可視光通信機２２０における電力を供給する電源装置である。なお、可視光電力盤２００に可視光通信機２２０以外の構成については、他の電源部（不図示）から電力が供給されるものとするが、電源部２０４から電力が供給されてもよい。
【００１９】
変換器２０５は、アナログ信号とデジタル信号とを相互に変換して出力する。例えば、変換器２０５は、リレー２０３から端子台２０１を介して入力されたアナログの制御信号をデジタルの制御信号に変換する。変換器２０５は、変換されたデジタルの制御信号を可視光通信機２２０に出力する。
【００２０】
可視光通信機２２０は、可視光電力盤２００によって出力された制御信号を可視光通信によって他の電力盤に送信する装置である。可視光通信機２２０は、可視光電力盤２００の天井部に設置される。可視光通信機２２０は、可視光電力盤２００の上部に設置されている可視光通信機３１０と対向して設置される。可視光通信とは、目に見える光（可視光）を使用して通信を行う通信方式である。可視光通信では、例えばＬＥＤ（Light Emitting Diode）が光源として用いられる。可視光通信機２２０は、ＬＥＤを人の目では感じられないほどの速度で点滅させることで、情報（例えば、制御信号に含まれる制御情報）を伝達する。赤外線通信又はＢｌｕｅｔｏｏｔｈ（登録商標）等の無線通信方式は、ノイズの影響を受けやすい。電力盤では、多くの制御機器が用いられるため、様々なノイズが発生する。このため、赤外線通信又はＢｌｕｅｔｏｏｔｈ（登録商標）等の無線通信方式を用いて制御信号を送受信する場合、ノイズによる誤作動が発生する恐れがある。しかし、可視光通信は、光を使用した無線通信である。したがって、可視光通信では、ノイズによる誤作動が発生する恐れは殆どない。また、可視光通信は通信範囲を視認できる。可視光通信は通信範囲を容易に指定できる。可視光通信は、外部からの影響を受ける恐れも少なく、セキュリティ面でも電波を用いた無線通信方式よりも優れている。以上のことから可視光通信はスイッチギヤ等の電力盤に適した通信方式である。可視光通信機２２０は、可視光受信部２２１と可視光送信部２２２とを備える。なお、本実施形態では、可視光通信機２２０は２台設けられるが、２台に限定されない。例えば、可視光通信機２２０は、３台以上設けられてもよいし、１台だけ設けられてもよい。可視光通信機２２０の台数は、通信可能に接続された電力盤１００の数に応じて決められてもよい。可視光通信機２２０は、無線通信部の一態様である。
【００２１】
可視光受信部２２１は、可視光通信機３１０が備える可視光送信部３１２から放出された可視光を受信する。可視光には制御情報を含む制御信号が含まれる。可視光受信部２２１は、受信した可視光の周波数、点滅速度又は色等の可視光の特徴に応じて、可視光に含まれる制御信号を出力する配線を決定する。例えば、可視光受信部２２１は、受信した可視光の周波数、点滅速度又は色に基づいて、制御装置２０２宛の制御信号であると判定したならば、制御装置２０２に接続された配線に制御信号を出力する。可視光受信部２２１から制御装置２０２に出力される信号はデジタル信号である。なお、可視光の特徴と、配線との対応関係は予め可視光通信機２２０に記憶される。
【００２２】
可視光送信部２２２は、制御装置２０２又はリレー２０３から送信された制御信号を受信すると、可視光通信機３１０が備える可視光受信部３１１に向けて可視光を放出する。可視光には制御情報が含まれる。可視光送信部２２２は、制御信号の送信先となる電力盤及び電力盤内に設けられた制御機器に応じて、可視光の周波数、点滅速度又は色等を変えて可視光を放出する。例えば、制御装置２０２が、電力盤１００の制御装置１０２に対する制御信号を可視光通信機２２０に入力した場合、可視光送信部２２２は、電力盤１００の制御装置１０２に対応した可視光の周波数、点滅速度又は色で可視光を放出する。
【００２３】
可視光通信機３１０は、電力盤１００によって出力された制御信号を可視光通信によって可視光電力盤２００に送信する装置である。可視光通信機３１０は、可視光電力盤２００の上部に設置される。可視光通信機３１０は、可視光電力盤２００の天井部に設置されている可視光通信機２２０と対向するように設置される。可視光通信機３１０は、可視光受信部３１１と可視光送信部３１２とを備える。なお、本実施形態では、可視光通信機３１０は可視光電力盤２００に設けられる可視光通信機２２０の台数に応じて設けられる。可視光通信機３１０は、対向する可視光通信機２２０と一対一に対応する。
【００２４】
可視光受信部３１１は、可視光通信機２２０が備える可視光送信部２２２から放出された可視光を受信する。可視光受信部３１１は、受信した可視光に基づいてアナログの制御信号を生成する。可視光には制御情報が含まれる。可視光受信部３１１は、生成されたアナログ信号を電線３００及び電線３０１に出力する。アナログ信号は、可視光電力盤２００から受信した制御情報を含む。
【００２５】
可視光送信部３１２は、電力盤１００から送信された制御信号を受信すると、可視光通信機２２０が備える可視光受信部２２１に向けて可視光を放出する。放出される可視光は制御情報を含む制御信号である。可視光送信部３１２は、送信先となる電力盤及び電力盤内に設けられた制御機器に応じて、可視光の周波数、点滅速度又は色等を変えて可視光を放出する。例えば、制御装置１０２が、可視光電力盤２００の制御装置２０２に対する制御信号を電線３００又は電線３０１を介して可視光通信機３１０に入力した場合、可視光送信部３１２は、可視光電力盤２００の制御装置２０２に対応した可視光の周波数、点滅速度又は色で可視光を放出する。可視光と制御機器との対応関係は予め記憶される。
【００２６】
図２は、実施形態の可視光電力盤２００が可視光を送信する場合の処理の流れを示すシーケンスチャートである。本処理は、可視光電力盤２００の制御装置２０２が他の電力盤に対して制御信号を送信する際に実行される。なお、図２では、制御装置２０２が制御信号を送信する場合について説明をするが、リレー２０３が制御信号を送信する場合であっても同様である。
【００２７】
可視光電力盤２００の制御装置２０２は制御情報を生成する（ステップＳ１０１）。制御装置２０２は、生成された制御情報を制御信号に含めて、可視光通信機２２０に制御信号を入力する（ステップＳ１０２）。具体的には、制御装置２０２は、端子台２０１が備える第２端子２１２のうち、制御装置２０２に接続された第２端子２１２に制御信号を入力する。端子台２０１は第２端子２１２の端子対として構成された第１端子２１１から制御信号を出力することで、可視光通信機２２０に制御信号を入力する。
【００２８】
可視光電力盤２００の可視光通信機２２０は、制御信号が入力されると可視光通信を開始する（ステップＳ１０３）。具体的には、可視光通信機２２０が備える可視光送信部２２２は、制御装置２０２から送信された制御信号を受信すると、可視光通信機３１０が備える可視光受信部３１１に向けて可視光を放出する。可視光には制御情報が含まれる。可視光に含まれる制御情報は、可視光通信機３１０に送信される（ステップＳ１０４）。可視光通信機２２０は制御信号を送信すると、可視光通信を終了する（ステップＳ１０５）。
【００２９】
可視光受信部３１１は、可視光送信部２２２から受信した可視光に基づいてアナログの制御信号を生成する（ステップＳ１０６）。アナログの制御信号は、可視光電力盤２００から受信した制御情報を含む。可視光受信部３１１は、生成されたアナログの制御信号を電線３００及び電線３０１に出力することで、制御情報を電力盤１００に送信する（ステップＳ１０７）。
【００３０】
電力盤１００の端子台１０１が備える第１端子１１１は、電線３００及び電線３０１からアナログの制御信号を受信する。端子台１０１は、第１端子１１１の端子対として構成された第２端子１１２からアナログの制御信号を出力する。変換器１０３は、入力されたアナログの制御信号をデジタルの制御信号に変換する（ステップＳ１０８）。変換器１０３は、制御装置１０２にデジタルの制御信号を出力する。制御装置１０２は、デジタルの制御信号に含まれる制御情報を受信する（ステップＳ１０９）。
【００３１】
図３は、実施形態の可視光電力盤２００が可視光を受信する場合の処理の流れを示すシーケンスチャートである。本処理は、電力盤１００の制御装置１０２が可視光電力盤２００に対して制御信号を送信する際に実行される。なお、図３では、制御装置１０２が制御信号を送信する場合について説明をするが、リレー１０４が制御信号を送信する場合であっても同様である。
【００３２】
電力盤１００の制御装置１０２は制御情報を生成する（ステップＳ２０１）。制御装置１０２は、生成された制御情報を含む制御信号を生成し、変換器１０３に入力する（ステップＳ２０２）。制御装置１０２によって生成される制御信号はデジタル信号である。変換器１０３は、入力された制御信号をアナログの制御信号に変換する（ステップＳ２０３）。変換器１０３はアナログ信号を端子台１０１の第２端子１１２に入力する。第２端子１１２の端子対として構成される第１端子１１１は、制御情報を含むアナログの制御信号を可視光通信機３１０に送信する（ステップＳ２０４）。
【００３３】
可視光通信機３１０の可視光送信部３１２は、電力盤１００から送信されたアナログの制御信号をデジタルの制御信号に変換する（ステップＳ２０５）。可視光通信機３１０は、制御信号が入力されると可視光通信を開始する（ステップＳ２０６）。可視光送信部３１２は、変換されたデジタルの制御信号を可視光として放出することで、制御情報を可視光電力盤２００に送信する（ステップＳ２０７）。可視光通信機３１０は、制御信号を送信すると、可視光通信を終了する（ステップＳ２０８）。可視光電力盤２００の制御装置２０２は、可視光を受光した可視光受信部２２１からデジタルの制御信号に含まれる制御情報を受信する（ステップＳ２０９）。
【００３４】
このように構成された電力盤では、他の電力盤によって送信され、自装置に設けられた電気機器を制御する制御信号を可視光通信によって受信し、リレー又は制御装置等の制御機器が受信した制御信号に基づいて遮断器等の電気機器を制御する。また、制御機器は、他の電力盤に設けられた電気機器を制御する制御信号を生成し、生成された制御信号を他の電力盤に可視光通信によって送信する。また、制御機器は、制御機器が設けられた電力盤が備える電気機器を制御する制御信号を生成する。制御機器は、生成された制御信号に基づいて、電気機器を制御する。このように構成された電力盤が、制御信号を可視光通信を用いて送受信することで、有線通信の範囲を減らすことができる。これによって、作業員は現地調査に伴う、有線配線の調査の作業工数や、配線に伴う作業工数を削減することができ、より短い時間で現地調査と電力盤を交換とをすることが可能になる。
【００３５】
（第２の実施形態）
次に、第２の実施形態における電気設備１ａについて説明する。図４は、第２の実施形態の可視光通信を用いた電気設備１ａの一具体例を示す図である。第２の実施形態における電気設備１ａでは、可視光電力盤２００がトリップ信号を電線３０２を用いて受信する点で第１の実施形態とは異なるが、それ以外の構成は同じである。以下、第１の実施形態と異なる点について説明する。
【００３６】
可視光電力盤２００は、トリップ信号を電線３０２を介して受信する点で第１の実施形態と異なるが、それ以外の構成は同じである。可視光電力盤２００は、トリップ信号を電線３０２を介して受信する。トリップ信号は、トリップ信号を受信した遮断器等の電気機器をトリップさせる信号である。電線３０２は、端子台２０１の第１端子２１１に直接配線される。電線３０２が配線された第１端子２１１の端子対となる第２端子２１２は、遮断器等の電気機器に接続（不図示）される。なお、可視光電力盤２００は、トリップ信号以外の制御信号については、第１の実施形態と同様に可視光通信にて送受信を行う。
【００３７】
このように構成された電力盤は、トリップ信号を有線通信を用いて受信する。トリップ信号を有線通信を用いて受信する場合、短絡又は地絡等の事故が発生した場合に、他の電力盤は即座にトリップ信号を電力盤が備える遮断器等の電気機器に送ることが可能になる。これにより、電力盤は事故に伴う被害を最小限にとどめることができ、信頼性と安全性を確保することが可能になる。
【００３８】
（第３の実施形態）
次に、第３の実施形態における電気設備１ｂについて説明する。図５は、第３の実施形態の可視光通信を用いた電気設備１ｂの一具体例を示す図である。第３の実施形態における電気設備１ｂでは、電線３００の代わりに電線３００ａ、電線３０１の代わりに電線３０１ａ、可視光通信機３１０の代わりにＬＥＤ照明４００を備え、可視光受信機４０１をさらに備える点で第１の実施形態とは異なるが、それ以外の構成は同じである。以下、第１の実施形態と異なる点について説明する。
【００３９】
電線３００ａ及び電線３０１ａは、電力盤１００と可視光電力盤２００とを可視光通信で通信可能に接続するための電線である。電線３００ａ及び電線３０１ａは、アナログの制御信号を送受信する。各電力盤は、制御信号を電線３００ａ又は電線３０１ａを介して取り合う。
【００４０】
ＬＥＤ照明４００は、建屋５００内の照明に用いられる。ＬＥＤ照明４００は照明の光を用いて、可視光通信を行う。ＬＥＤ照明４００は建屋５００内の天井に設置される。ＬＥＤ照明４００は、電線３００ａ及び電線３０１ａを引き込むことで電力盤１００から送信された制御信号を可視光通信によって可視光電力盤２００に送信する。
【００４１】
可視光受信機４０１は、可視光電力盤２００から送信された可視光を受信する。可視光受信機４０１はＬＥＤ照明４００の近傍に設置される。可視光受信機４０１は、可視光電力盤２００に設置されている可視光通信機２２０の可視光送信部２２２から放出された可視光を受信する。可視光受信機４０１は、受信した可視光に基づいてデジタル信号をアナログ信号に変換する。可視光受信機４０１は、引き込まれた電線３００ａ及び電線３０１ａを介して、変換されたアナログ信号を電力盤１００に出力する。可視光受信機４０１とＬＥＤ照明４００とは一対一に対応する。
【００４２】
第３の実施形態では、ＬＥＤ照明４００は２台設置されているが、２台に限定するものではない。例えば、ＬＥＤ照明４００は建屋５００内に１台設置されていてもよいし、３台以上設置されていてもよい。ＬＥＤ照明４００の台数は、通信可能に接続された電力盤１００の数に応じて決められてもよい。なお、建屋５００内に複数のＬＥＤ照明４００が設けられている場合、ＬＥＤ照明４００は、可視光の特性を分けることにより、他の可視光通信機２２０に影響が出ないようにする。具体的には、ＬＥＤ照明４００は、可視光の周波数、点滅速度又は可視光の色を電力盤や可視光通信機２２０に応じて使い分けることにより、他の可視光通信機２２０に影響が出ないようにすることができる。ＬＥＤ照明４００が放出する可視光の特性は、送信先となる可視光通信機２２０に応じて予め指定されていてもよい。
【００４３】
このように構成された電力盤は、建屋５００内に設けられたＬＥＤ照明４００から制御信号を受信することが可能になる。これによって、建屋５００内に別途可視光通信機を設けることなく、制御信号を受信することが可能になる。
【００４４】
上述の実施形態では、可視光通信機２２０と可視光通信機３１０とが対向して設置されている場合について説明したが、これに限定されない。例えば、可視光通信機２２０と可視光通信機３１０との間に障害物の可視光を遮断する物体が設けられている場合について説明する。この場合、可視光の経路に反射板を設けておくことで、反射板が可視光を屈折させる。反射板は、可視光を反射する部材である。反射板が可視光を反射することで、可視光は障害物を回避することが可能になる。したがって、可視光通信機２２０と可視光通信機３１０とが対向して設置されていない場合でも、反射板を用いることで、可視光通信を行うことが可能になる。
【００４５】
上述の実施形態では、可視光電力盤２００は、可視光通信を用いて他の電力盤と無線通信を行ったが、可視光通信に限定されない。例えば、可視光電力盤２００は、可視光通信の代わりに、赤外線通信、Ｂｌｕｅｔｏｏｔｈ（登録商標）又は無線ＬＡＮ（Local Area Network）等の無線通信を用いて他の電力盤と無線通信を行ってもよいが、可視光通信で通信を行う事が望ましい。
【００４６】
上記各実施形態では、制御装置１０２はソフトウェア機能部であるものとしたが、ＬＳＩ等のハードウェア機能部であってもよい。
【００４７】
以上説明した少なくともひとつの実施形態によれば、可視光通信機２２０を持つことにより、有線通信に伴う現地調査及び配線作業に伴う工数を削減することが可能になるため、より短い時間で電力盤の調査及び交換をすることができる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…電気設備、１００…電力盤、１０１…端子台、１０２…制御装置、１０３…変換器、１０４…リレー、１１１…第１端子、１１２…第２端子、２００…可視光電力盤、２０１…端子台、２０２…制御装置、２０３…リレー、２０４‥‥電源部、２０５…変換器、２１１…第１端子、２１２…第２端子、２２０…可視光通信機、２２１…可視光受信部、２２２…可視光送信部、３００…電線、３０１…電線、３０２…電線、３１０…可視光通信機、３１１…可視光受信部、３１２…可視光送信部、４００…ＬＥＤ照明、４０１…可視光受信機、５００…建屋
【図１】
2020150500.tif 000003
【図２】
2020150500.tif 000004
【図３】
2020150500.tif 000005
【図４】
2020150500.tif 000006
【図５】
2020150500.tif 000007